(57)【特許請求の範囲】
【請求項１】
ローカル交換機（LE）とアクセスノード（AN）との間に形成され、少なくとも２つのリンク（Ｌ）を含むV5インターフェースの起動を保証するためのプロシジャーであって、インターフェースの動作に必須であるプロトコルのために確保されたリンクの作動状況が、それらを保護するために使用されるプロトコルのために確保された主及び補助リンクの作動状況と共に起動プロシジャーの中で検査されるようなV5インターフェースの起動を保証するためのプロシジャーにおいて、
主及び補助リンクの作動状況の検査が、ローカル交換機側及びアクセスノード側の両方で同時に開始され、
処理は、１もしくは複数の主及び／もしくは補助リンクが作動状態にあるという確認を待ち、
最初に、リンクが作動状態にあることを示す確認が補助リンクに関して受信されるならば、V5規定に従う主リンクから補助リンクへの切り換えが実施され、新しい主リンクが、V5インターフェース起動処理の中でV5インターフェースの保護のために使用されることを特徴とするプロシジャー。
【請求項２】
もし、主リンクの切り換えが失敗ならば、V5インターフェース起動処理が終了される請求項１に記載のプロシジャー。
【請求項３】
もし、V5インターフェース起動処理の間に、主リンクが作動状態になるならば、主リンクが新しい補助リンクとして定められる請求項１もしくは請求項２に記載のプロシジャー。
【請求項４】
たとえPSTNプロトコルのために割り当てられたリンクが故障しても、V5インターフェースのＣ−チャネルは、初期状態に戻ることなく、新しい主リンクによる起動処理の中で保護される請求項１から請求項３のいずれか１項に記載のプロシジャー。
【請求項５】
処理がPSTNプロトコルの起動の確認を待っている時に、もし、リンクが故障しているならば、PSTNプロトコルのために割り当てられたリンクの切り換えが実行される請求項１から請求項４のいずれか１項に記載のプロシジャー。
【請求項６】
もし、保護プロトコルのためのデータリンクに関する標準の「リンク解放」命令が受信されるならば、データリンクがすぐに再起動される請求項１から請求項５のいずれか１項に記載のプロシジャー。
【請求項７】
もし、V5インターフェースのいずれかのプロトコルのためのデータリンクに関する標準の「リンク解放」命令が受信されるならば、データリンクがすぐに再起動される請求項１から請求項５のいずれか１項に記載のプロシジャー。
【請求項８】
例えばPSTNプロトコルといった異なるプロトコルの起動の前に、当プロトコルのために割り当てられたリンクが作動状態にあるかどうかを決定するための検査が実行される請求項１から請求項７のいずれか１項に記載のプロシジャー。
【発明の詳細な説明】
本発明は、請求項１の前文に記述されているような、ローカル交換機とアクセスノードとの間に形成されるV5インターフェースの起動を保証するためのプロシジャーに関する。
ローカル交換機とローカルネットワークもしくはアクセスノードとの間の公開のインターフェース（V5.1及びV5.2）は、ETSI（European Telecommunications and Standards Institute（ヨーロッパ電気通信及び標準化機構））標準のETS  300  324及びETS  300  347シリーズに規定されている。V5インターフェースは、物理的に別個のアクセスネットワークに属する加入者を、標準インターフェースを使用する電話交換機に接続できるようにする。本発明では、V5インターフェースとは、特に標準シリーズETS300  347に規定されているようなダイナミック集信装置インターフェース（V5.2）を意味しており、それは、１もしくは１よりも多数（１−16）のPCM（Pulse Code Modulation（パルスコード変調））回線からなる。1PCM回線は32チャネルもしくはタイムスロットからなり、それらの各々は64kビット/sの伝送速度を有し、すなわち全部で2048kビット/sを有する。V5.2インターフェースは、半固定接続に基づく他のアナログもしくはデジタル端末機器と共に、公衆電話網、例えばISDN（Integrated Services Digital Network（統合サービスデジタル網））ベーシックといったデジタル及びシステム加入者接続で使用されるようなアナログ電話機をサポートする。
Ｃ−チャネルと呼ばれるチャネルを形成するV5インターフェースのあるタイムスロットは、インターフェース自体及びインターフェース上で伝送される呼を制御するために使用されるプロトコルを伝送するために働く。Ｃ−チャネルは、この目的のために確保された64kビット/sのタイムスロットであり、それは、例えばV5インターフェースの制御プロトコル、リンクプロトコル、保護プロトコル、BCCプロトコルに属するか、もしくは、PSTNシグナリング或いはISDNデータからなる情報を伝送するために働く。更に、上述の標準によると、Ｃ−チャネルを、PCM回線もしくはV5インターフェースリンクのタイムスロット16、15及び／もしくは31のために確保することができる。特にV5インターフェースでは、システムは重大なプロトコル（制御、リンク制御、BCC、保護）のためにＣ−チャネルを自動的に生成し、一方、オペレータは、重大なプロトコルと同一のチャネルか、もしくは、別のＣ−チャネルのどちらかに所望のようにPSTNシグナリングを配置することができる。加えて、オペレータは最大３つのシグナリングチャネルをいわゆるバックアップチャネルとして割り当てることができる。本来、チャネルが割り当てられていたリンクの故障の場合に、これらのチャネルが使用される。１よりも多数の2Mビット/sのリンクを有するV5インターフェースでは、タイムスロット16の物理的なＣ−チャネルが制御、リンク制御、BCC及び保護プロトコルを伝送するリンクが、主リンクとして規定されている。更に、タイムスロット16の物理的なＣ−チャネルが保護プロトコルを伝送するのみであるリンクは、補助リンクである。
V5インターフェースの起動と関連して、アクセスノードとローカル交換機の両方のLAPV5プロトコルが、Ｃ−チャネルでの信頼性のある透過なデータ伝送を確実に保証できるようにするために、ある標準動作が実施される。LAPV5プロトコルの機能は、シグナリングチャネルの動作を監視し、PCMフレーム構造へのレイヤー３のシグナリングを多重化し、適切な方法でISDNデータを伝送することである。一般に使用されるV5インターフェースでは、最初に、システム開始プロシジャーが、主及び補助リンクの動作を検査する。この後、保護プロトコルデータリンクが、最初に、主リンクに対して、それから補助リンクに対して起動される。しかしながら、ローカル交換機とアクセスノードとが、主及び補助リンクの検査に対する異なった応答を受信する時、すなわち一方が「リンクOK」メッセージを受信し、他方が「リンク障害」メッセージを受信する時に生じ得るような矛盾する状況を、システムは考慮していない。このような状況は、例えばローカル交換機が主リンクの使用を止めて（ブロッキング）、主リンクから補助リンクへの切り換えが実施される時に生じ得る。更に、何らかの理由で、アクセスノードは後でリセットされるかも知れず、従って、インターフェースはアクセスノード端で再起動されなければならない。しかしながら、リセットは、先に得られた主リンクブロッキングデータの消失を引き起こし、従って、主リンクが使用可能であると仮定して、アクセスノードは通常のようにインターフェースを起動することを試みる。この状況では、アクセスノードは、主リンクに関する確認を決して受信せず、確認を待ちながらロックされた状態であり続ける。一方、V5インターフェースが、主及び補助リンクの両方が中断している状況から復元する時に、矛盾が生じる。この状況では、どちらのリンクが先に動作可能になるかに応じて、他方のパーティーは補助リンクを介してシグナリングを開始するが、一方のパーティーは主リンクを介してシグナリングを開始するかもしれない。更に、V5インターフェースを起動するための通常の処理の中で、上述の標準と一致するL2ACTプロシジャーは、通常の方法で保護プロトコルデータリンクを起動するためのプロシジャーを開始し、主リンクに関する確認を所定の状態で待機する。また、他方のパーティーは、主リンクが故障していることを検知して、直接、補助リンクで保護プロトコルチャネルを確立することを試みるかもしれない。データリンク起動プロシジャーは、別の所定の状態で補助リンクの使用のための確認を待ち続ける。結果は、どちらのパーティーも確認を得ることができず、V5インターフェースを起動することができないというロックされた状況になる。
V5インターフェースレイヤー２起動処理の最終段階は、PSTNデータリンクの起動である。もし、PSTNプロトコルが、例えば主リンクのタイムスロット15のＣ−チャネルを使用するように構成されており、主リンクが、シーケンス中に作動状態にないならば、結果は再びロックされた状況である。もし、PSTNデータが配置されたリンクが故障しているならば、L2ACTは「リンク解放」メッセージを受信し、起動プロシジャーは停止される。
本発明の目的は、上述の問題を除去することである。本発明の特定の目的は、上述のロックされた状況を避けることを可能にするようなプロシジャーを開示することである。
本発明の更なる目的は、故障がV5インターフェースの起動の中断を必ずしも必要としないようなある故障状況において、V5インターフェースの起動の成功を保証するためのプロシジャーを開示することである。
本発明の特徴に関しては、請求の範囲を参照する。
ローカル交換機とアクセスノードとの間に形成され、PCM回線を介して形成される少なくとも２つのリンクを含む、V5.2インターフェースであるのが好ましいV5インターフェースの起動を保証するための本発明のプロシジャーでは、インターフェースの動作に必須であるプロトコルのために確保されたリンクの作動状況が、それらをバックアップするために使用されるプロトコルのために確保された主及び補助リンクの作動状況と共に、インターフェースを起動するための処理の中で検査される。これを実際に実施するために、ローカル交換機側及びアクセスノード側のあるプログラムブロックもしくは等価なものは、それ自体の側からリンクの作動状況を検査する。換言すると、アクセスノードでは、アクセスノードからリンクへの接続が正常かどうかを決定するための検査が実行され、一方、ローカル交換機では、対応する検査が実行される。一度、プロトコルのために確保された、もしくは、割り当てられたリンクが作動状態であることが確認されると、所定の構成（V5インターフェース規定）に従って、プロトコルを起動することができる。
本発明によると、主及び補助リンクの作動状況の検査が、ローカル交換機側及びアクセスノード側の両方で同時に開始される。この後、ローカル交換機及びアクセスノードの両方が、もう一方のパーティーからの１もしくは複数の主及び／もしくは補助リンクが作動状態であるという確認を待つ。もし、受信された最初の確認が、補助リンクは作動状態であることを示すならば、この場合には、主リンクから補助リンクへの切り換えが上述のV5規定に従って実施され、V5インターフェース開始処理の間、新しい主リンクがV5インターフェースの保護のために使用される。
従来技術と比べて、本発明は、現行の規定によると発生し得るV5インターフェース開始処理の間のロックされた状況を回避できるようにするという利点を有する。更に、本発明は、たとえ、V5インターフェースのリンクの１つがV5インターフェース確立処理の間に故障するか、障害を起こすとしても、V5インターフェース開始処理が継続することを保証できるようにする。記述に値する本発明の更なる利点は、本発明に従って作動されるV5インターフェースには、何らかの障害が開始処理の間に生じる可能性に対する備えがあることである。
本発明の一実施例では、もし、補助リンクへの切り換えが失敗ならば、起動処理はV5規定に従って停止される。一方、もし、切り換えが成功し、主リンクが処理の後段で、もしくは、切り換えの間に起動されるならば、主リンクは新しい補助リンクとして構成される。上述の標準によると、上述の処理を介して得られる主リンクを、１もしくは複数のＣ−チャネルをバックアップするために起動処理の後段で使用することができ、それによって、チャネルの１つのリンクの障害は起動処理の中断及び初期状態への戻りという結果に決してならない。
次に、PSTNプロトコルのためのデータリンクの確立を一例として説明する。例えば、制御、リンク制御、BCCプロトコルといったV5インターフェースの作動に必須である他のプロトコルのためのデータリンクが確立され、及び／もしくは、それらの確立は、V5インターフェースの起動の間に同様の方法で保証される。更に、好ましくはプロトコルのためのデータリンクの起動要求が伝送される前に、当データリンクのために割り当てられたリンクが、それが作動状態かどうか決定するために検査される。もし、PSTNプロトコルのためのリンクが作動状態にないならば、PSTNプロトコルのために確保されたリンクの切り換えは、主リンク上で保護プロトコルを実行することによって実行され、PSTNプロトコルは、切り換え後に起動されるのみである。更に、本発明の好ましい一実施例では、たとえ、PSTNプロトコルを運ぶリンクが作動状態であっても、もし、プロトコルの起動の確認が遅延するならば、PSTNプロトコルのために割り当てられたリンクの切り換えを保護プロトコルを使用して実行することができる。
本発明の好ましい一実施例では、保護プロトコルもしくは何らかの他のプロトコルのためのデータリンクに関する「リンク解放」命令が受信されると、データリンクはすぐに再起動される。現行の解決策では、処理は初期状態に戻り、それは起動処理を無用に中断するので、著しくインターフェースの動作を遅くする。何故ならば、処理が初期状態から再始動される時、いかなる場合も、同様のデータリンク起動プロシジャーが実行されるからである。
以下では、添付図を参照して、実施例で、本発明を説明する。図1a−1gは、本発明のプロシジャーの好ましい実施例を表すフロー図を示す。
図に関して、以下のことを留意すべきである。図に示されるようなメッセージの送信及び受信は、V5.2インターフェースのローカル交換機端及びアクセスノード端の両方で可能である。更に、図のボックスの形はある意味を有する。すなわち、八角形は、処理が、例えば処理中になされた要求の確認を待っているといった所定の状態にあることを意味し、右端に内側に向かう角度を有する五角形は、メッセージが受信されることを意味し、右端に矢印に似ている外側に向かう角度を有する五角形は、メッセージが伝送されることを意味し、ひし形は、インターフェースもしくは他の機能が実施されることを意味する。
図1aから開始して、V5インターフェースを開始するための要求が受信される。最初に、インターフェースに含まれるリンクの数が決定され、もし、１つのリンクしかないならば、制御プロトコルデータリンクのためのデータリンク確立要求が伝送され、その結果、処理は、上述の標準に規定されるように継続する。もし、複数のリンクがあるならば、最初に、主リンクの使用可能性が検査され、リンクが使用可能であるか否かに関わらず、補助リンクの使用可能性を検査することによって、処理はすぐ継続する。リンクの使用可能性の確認が受信されると、保護プロトコルのためのデータリンク確立要求が、主及び補助リンクの両方に関して伝送される。この後、保護データリンクが確立されるまで、処理は待ち続ける。図1bに関し、処理が保護データリンクの確立の確認を待っている八角形から、動作は継続し、そして、確認がデータリンク１から受信される時（図1bの破線で示される「Ptcn  DL1から」のメッセージ）、処理は上述の標準に規定されるような通常の方法で継続する。しかしながら、もし、最初に、保護データリンクに関する確認がデータリンク２（補助）から受信されるならば、すぐに、データリンク１（主）の切り換えの要求が伝送され、その結果、主リンクを補助リンクに切り換えるための試みがなされる。図1cは、開始と関連して実行される切り換えを例示する。もし、切り換え確認メッセージ（「切り換え完了」）が受信されるならば、処理は上述のプロシジャーに従って通常に継続する。図1cの左部分を参照されたい。更に、主リンクもまた作動状態にあることを示すメッセージが、切り換えプロシジャー中に受信されるかもしれない。この場合には、主リンクは補助リンクとして再構成される。もし、切り換えが拒絶されるならば、処理は初期状態に戻る。図1cの右側である。
図1dに関し、本発明のプロシジャーの好ましい実施例で、V5.2インターフェースのPSTNプロトコルの起動を詳細に説明する。インターフェースに必須である他のプロトコルの起動成功の確認が受信された後、最後に、PSTNプロトコルの起動が実施される。起動プロシジャーの開始時点で、PSTNプロトコルがインターフェースのために構成されたかどうかを決定するための検査が実行される。もし、構成が実施されたならば、起動は、PSTNデータリンクが作動状態にあるかどうかを検査することによって継続される。もし、リンクが作動状態にないならば、リンク切り換え要求が伝送され、処理は「切り替え２開始」状態に進む。もし、リンクが作動状態にあるならば、リンク確立要求が伝送され、処理は確認を待ち続ける。
図1eは、処理がPSTNリンクの切り換えを待っている時の後続の段階を示す。もし、切り換えが成功して完了されるならば、この後、PSTNデータリンク確立要求が新しいリンク上で伝送され、処理は確認を待ち続ける。もし、切り換えが失敗ならば、処理は初期状態に戻り、インターフェース起動プロシジャーは終了される。図1fは、処理がPSTNデータリンクの起動を待っている間に生じ得る様々な状況を例示する。最初に、もし、データリンクの起動の成功を示すメッセージが受信されるならば、処理は通常に継続し、インターフェースが正しく起動されたことを示すためのメッセージが伝送される。一方、もし、メッセージがPSTNデータリンクが解放されたことを示すならば、データリンクの起動の新しい要求が伝送される。本発明によると、インターフェース確立処理の全段階の中で、例えば保護もしくはBCCプロトコルといった全ての必須プロトコルのために、同様の起動要求を伝送できるということが明確に示されている。更に、図1gに関し、上述の再起動状況で実行される動作を説明する。データリンクの解放を示すメッセージが受信されると、当データリンクのために使用可能な保護データリンクがあるかどうかを決定するための検査が実行される。もし、どのリンクも使用可能でないならば、確立が正しく実行されなかったことを示すメッセージが伝送され、処理は初期状態に戻る。もし、保護データリンクが存在するならば、データリンク起動要求が保護データリンク上で伝送される。一方、もし、エラーメッセージが、インターフェースの両端における構成の差異に因るものであろうエラーがデータリンクにあることを示すならば、開始が正しく実行されなかったことを示すメッセージが伝送され、処理は開始状態に戻る。
本発明は、上述の実施例に限定されるものではなく、請求の範囲に規定される本発明の思想の範囲内で、様々な変更が可能である。
【図１ｂ】
0003625482.tif 000002
【図１ｅ】
0003625482.tif 000003
【図１ａ】
0003625482.tif 000004
【図１ｃ】
0003625482.tif 000005
【図１ｆ】
0003625482.tif 000006
【図１ｄ】
0003625482.tif 000007
【図１ｇ】
0003625482.tif 000008